(57)【特許請求の範囲】
【請求項１】
一側面が電線を収容可能に開口された電線収容部が設けられたプロテクタ本体部と、このプロテクタ本体部に設けられ前記電線から分岐する分岐線に接続されたコネクタを固定するコネクタ固定部と、前記プロテクタ本体部に設けられ取付部材に固定される固定部とを備えたプロテクタであって、
前記コネクタ固定部は、前記電線収容部の側壁の一端に設けられ、
前記固定部は、前記電線収容部の側壁の高さ方向に沿って延設されたリブを有して前記プロテクタ本体部に設けられ、
前記プロテクタ本体部には、前記電線収容部の開口側から反対側に向けて前記電線収容部の両側壁を連結する底壁が位置する部分から前記両側壁と連続する一部材で延設された延長部が設けられ、
前記固定部のリブは、前記電線収容部と前記延長部とに跨って設けられていることを特徴とするプロテクタ。
【請求項２】
請求項１記載のプロテクタであって、
前記固定部は、前記電線収容部の両側壁の長さ方向の異なる端部側に少なくとも一方の側壁側と他方の側壁側とに対称に２箇所設けられていることを特徴とするプロテクタ。
【請求項３】
請求項１又は２記載のプロテクタであって、
前記延長部には、補強リブが設けられていることを特徴とするプロテクタ。
【発明の詳細な説明】
【技術分野】
【０００１】
本発明は、車両に適用されるプロテクタに関する。詳細には、内部に電線が配索され、電線の端部に接続されたコネクタが固定されるプロテクタに関する。
【背景技術】
【０００２】
従来、プロテクタとしては、一側面が電線を収容可能に開口された電線収容部が設けられたプロテクタ本体部と、このプロテクタ本体部に設けられ電線から分岐する分岐線に接続されたコネクタを固定するコネクタ固定部としてのコネクタブロックと、プロテクタ本体部に設けられ取付部材に固定される固定部としての取付ブラケットとを備えたものが知られている（例えば、特許文献１参照）。
【０００３】
このプロテクタでは、プロテクタ本体部とコネクタブロックとがヒンジを介して一体に設けられており、電線をプロテクタ本体部に収容した後、コネクタブロックを閉じてロック機構で保持し、取付ブラケットを介して車体などの取付部材にプロテクタを固定している。
【先行技術文献】
【特許文献】
【０００４】
【特許文献１】特開平８−１１１２５９号公報
【発明の概要】
【発明が解決しようとする課題】
【０００５】
しかしながら、上記特許文献１のようなプロテクタでは、プロテクタ本体部とコネクタ固定部とがヒンジを介して一体に設けられており、コネクタ固定部側に固定部が設けられているので、取付部材に対してプロテクタを取り付けた状態で、プロテクタの電線を保持するための剛性が低くなる恐れがあった。
【０００６】
また、上記特許文献１のようなプロテクタでは、プロテクタ本体部にコネクタ固定部を組付ける際に、コネクタ固定部が電線の余長部分を噛み込む恐れがあり、組付性が低下する恐れがあった。加えて、電線の余長部分によって電線収容部内で電線が膨張していまい、さらに組付性が低下する恐れがあった。
【０００７】
そこで、この発明は、取付部材に取り付けた状態での電線を保持するための剛性を向上することができると共に、組付性を向上することができるプロテクタの提供を目的としている。
【課題を解決するための手段】
【０００８】
請求項１記載の発明は、一側面が電線を収容可能に開口された電線収容部が設けられたプロテクタ本体部と、このプロテクタ本体部に設けられ前記電線から分岐する分岐線に接続されたコネクタを固定するコネクタ固定部と、前記プロテクタ本体部に設けられ取付部材に固定される固定部とを備えたプロテクタであって、前記コネクタ固定部は、前記電線収容部の側壁の一端に設けられ、前記固定部は、前記電線収容部の側壁の高さ方向に沿って延設されたリブを有して前記プロテクタ本体部に設けられ、前記プロテクタ本体部には、前記電線収容部の開口側から反対側に向けて前記電線収容部の両側壁を連結する底壁が位置する部分から前記両側壁と連続する一部材で延設された延長部が設けられ、前記固定部のリブは、前記電線収容部と前記延長部とに跨って設けられていることを特徴とする。
【０００９】
このプロテクタでは、コネクタ固定部が、電線収容部の側壁の一端に設けられているので、コネクタ固定部を閉じるような動作を必要とすることがなく、電線に余長部分を設ける必要がなくなり、電線収容部の開口から電線が張り出すことがない。
【００１０】
このため、電線収容部の開口側をカバーや取付部材などによって閉塞しても、電線が噛み込むことを防止することができ、組付性を向上することができる。
【００１１】
また、コネクタ固定部は、電線収容部の側壁の一端に設けられているので、電線収容部の開口側が閉塞されていても、電線収容部の一端側からコネクタに相手コネクタを嵌合させることができ、組付性を低下させることがない。
【００１２】
さらに、固定部は、電線収容部の側壁の高さ方向に沿って延設されたリブを有してプロテクタ本体部に設けられているので、電線収容部に対する固定部の剛性を高くすることができ、取付部材に対してプロテクタを取り付けた状態で、プロテクタの電線を保持するための剛性を向上することができる。
【００１３】
従って、このようなプロテクタでは、取付部材に取り付けた状態での電線を保持するた
めの剛性を向上することができると共に、組付性を向上することができる。
また、このプロテクタでは、プロテクタ本体部に、電線収容部の開口側から反対側に向けて延設された延長部が設けられているので、プロテクタ本体部自体の剛性を向上することができる。加えて、延長部を電線から分岐された他の分岐線に接続された他のコネクタの収容部とすることができる。
また、固定部のリブは、電線収容部と延長部とに跨って設けられているので、リブの長さを延長させることができ、固定部の剛性をさらに高くすることができる。
【００１４】
請求項２記載の発明は、請求項１記載のプロテクタであって、前記固定部は、前記電線容部の両側壁の長さ方向の異なる端部側に少なくとも一方の側壁側と他方の側壁側とに対称に２箇所設けられていることを特徴とする。
【００１５】
このプロテクタでは、固定部が、電線収容部の両側壁の長さ方向の異なる端部側に少なくとも対称に２箇所設けられているので、取付部材に対するプロテクタの固定を安定化させることができる。
【００１９】
請求項３記載の発明は、請求項１又は２記載のプロテクタであって、前記延長部には、補強リブが設けられていることを特徴とする。
【００２０】
このプロテクタでは、延長部に、補強リブが設けられているので、プロテクタ本体部の剛性をさらに高くすることができ、取付部材に取り付けた状態での電線を保持するための剛性をさらに向上することができる。
【発明の効果】
【００２１】
本発明によれば、取付部材に取り付けた状態での電線を保持するための剛性を向上することができると共に、組付性を向上することができるプロテクタを提供することができるという効果を奏する。
【図面の簡単な説明】
【００２２】
【図１】本発明の実施の形態に係るプロテクタの正面図である。
【図２】本発明の実施の形態に係るプロテクタのプロテクタ本体部の一側から見た正面図である。
【図３】本発明の実施の形態に係るプロテクタのプロテクタ本体部の他側から見た正面図である。
【図４】本発明の実施の形態に係るプロテクタのプロテクタ本体部の一側から見た正面図である。
【図５】本発明の実施の形態に係るプロテクタの延長部に他のコネクタを収容したときの正面図である。
【発明を実施するための形態】
【００２３】
図１〜図５を用いて本発明の実施の形態に係るプロテクタについて説明する。
【００２４】
本実施の形態に係るプロテクタ１は、一側面が電線３を収容可能に開口された電線収容部５が設けられたプロテクタ本体部７と、このプロテクタ本体部７に設けられ電線３から分岐する分岐線９に接続されたコネクタ１１を固定するコネクタ固定部１３と、プロテクタ本体部７に設けられ取付部材に固定される固定部１５とを備えている。
【００２５】
そして、コネクタ固定部１３は、電線収容部５の側壁１７の一端に設けられ、固定部１５は、電線収容部５の側壁１７の高さ方向に沿って延設されたリブ１９を有してプロテクタ本体部７に設けられている。
【００２６】
また、固定部１５は、電線収容部５の両側壁１７，１７の長さ方向の異なる端部側に対称に２箇所設けられている。
【００２７】
さらに、プロテクタ本体部７には、電線収容部５の開口側から反対側に向けて延設された延長部２１が設けられ、固定部１５のリブ１９は、電線収容部５と延長部２１とに跨って設けられている。
【００２８】
また、延長部２１には、補強リブ２３が設けられている。
【００２９】
図１〜図４に示すように、電線３は、複数の電線を組み合わせたワイヤーハーネスを構成しており、各電線は内部に複数の芯線（不図示）を束ねて構成され、例えば、電源と機器との間、或いは機器間を電気的に接続している。
【００３０】
このワイヤハーネスとしての電線３は、例えば、車体などの取付部材（不図示）に対して配索され、この電線３から分岐する分岐線９の端末部にコネクタ１１が設けられている。
【００３１】
このような電線３は、プロテクタ本体部７に設けられた電線収容部５の内部に配索されて収容され、分岐線９の端末部に設けられたコネクタ１１がプロテクタ本体部７の一端側に固定される。
【００３２】
プロテクタ本体部７は、合成樹脂などの絶縁性材料からなり、電線収容部５と、コネクタ固定部１３と、延長部２１と、固定部１５とを備えている。
【００３３】
電線収容部５は、一側面（ここでは上面）に電線３を収容可能に開口されるように底壁と両側壁１７，１７とで断面凹状に形成されると共に、内部に電線３を屈曲して配索できるようにＬ字状に屈曲されて電線３の長さ方向に縦長に形成されている。
【００３４】
この電線収容部５は、開口から電線３を内部に収容して配索した状態で、開口側に係止部２５を介してカバー（不図示）が組付けられ、車体に対する電線３（ワイヤーハーネス）の配索形状を保持すると共に、電線３と周辺部材との干渉を防止する。
【００３５】
このような電線収容部５に収容された電線３には、電線３から分岐する分岐線９が設けられており、分岐線９の端末部には分岐線９に電気的に接続された端子（不図示）を収容するコネクタ１１が設けられている。
【００３６】
コネクタ１１は、車体に配索された相手電線（不図示）の端末部に電気的に接続された相手端子（不図示）を収容する相手コネクタ（不図示）が嵌合され、端子と相手端子とが電気的に接続される。このコネクタ１１は、コネクタ固定部１３に固定されている。
【００３７】
コネクタ固定部１３は、電線収容部５の側壁１７の一端からコネクタ１１と相手コネクタとの嵌合方向に向けて延設された壁部となっている。このコネクタ固定部１３には、コネクタ固定部１３を貫通する穴部が設けられており、この穴部にコネクタ１１と一体に設けられたクリップ部材２７を挿入して係合させることによってコネクタ１１がコネクタ固定部１３に固定される。
【００３８】
このようにコネクタ固定部１３を電線収容部５の側壁１７の一端に設けることにより、コネクタ固定部１３を閉じるような動作を必要とすることがなく、電線３に余長部分を設ける必要がない。
【００３９】
このため、電線３が電線収容部５の開口から張り出すことがなく、電線収容部５の開口にカバーを組付けたとしても、カバーが電線３を噛み込むことを防止することができる。
【００４０】
加えて、コネクタ固定部１３を電線収容部５の側壁１７の一端に設けることにより、電線収容部５の開口にカバーが組付けられている、或いは車体などの周辺部材が位置している場合であっても、コネクタ１１と相手コネクタとを嵌合させることができ、組付性を低下させることがない。
【００４１】
このようなコネクタ固定部１３や電線収容部５が設けられたプロテクタ本体部７には、電線収容部５の長さ方向の両側にそれぞれ延長部２１，２１が設けられている。
【００４２】
延長部２１は、電線収容部５の開口側から反対側に向けて電線収容部５の両側壁１７，１７と連続する一部材で延設され、底壁が両側壁１７，１７を連結するように両側壁１７，１７と連続する一部材で形成され収容空間を構成している。
【００４３】
電線収容部５の一端側（コネクタ固定部１３側）の延長部２１には、電線収容部５に収容された電線３のうちコネクタ１１に接続された分岐線９以外の電線３が収容されて配索される。
【００４４】
一方、電線収容部５の他端側の延長部２１は、電線収容部５に収容された電線３の下端位置からの延設長さが、一端側の延長部２１の下端位置に合わされており、プロテクタ１全体のバランスを保持している。
【００４５】
この延長部２１の底壁には、複数（ここでは２つ）の補強リブ２３が設けられている。この補強リブ２３は、両側壁１７，１７を連結するように設けられており、延長部２１の剛性を向上させている。
【００４６】
このような延長部２１には、何も収容されていないが、例えば、図５に示すように、電線３から分岐された他の分岐線２９に接続された他のコネクタ３１の収容部とすることができる。
【００４７】
なお、ここでは、延長部２１内に他のコネクタ３１を保持する機構を設けておらず、他のコネクタ３１の収納作業を容易にさせているが、延長部２１内に他のコネクタ３１を保持する機構を設けてもよい。
【００４８】
このようにプロテクタ本体部７に延長部２１を設けることにより、プロテクタ本体部７自体の剛性を向上することができる。このようなプロテクタ本体部７には、車体などの取付部材に対する固定部１５が設けられている。
【００４９】
固定部１５は、電線収容部５の側壁１７の高さ方向に沿って延設された一対のリブ１９，１９と、この一対のリブ１９，１９を連結する取付部３３とを有しており、取付部３３を介してプロテクタ１を取付部材に固定させる。
【００５０】
この固定部１５は、一対のリブ１９，１９を有しているので、電線収容部５に対する固定部１５の剛性を高くすることができ、取付部３３を介して取付部材にプロテクタ１を取り付けた状態で、プロテクタ１の電線３を保持するための剛性を向上することができる。
【００５１】
この固定部１５の一対のリブ１９，１９は、プロテクタ本体部７の側壁１７において、電線収容部５と延長部２１とに跨って設けられている。このため、リブ１９の長さを十分に保持することができ、固定部１５の剛性をさらに高くすることができる。
【００５２】
このような固定部１５は、電線収容部５の両側壁１７，１７の長さ方向の異なる端部側に対称に２箇所設けられている。このように固定部１５を設けることにより、取付部材に対するプロテクタ１の固定を安定化させることができ、例えば、電線収容部５に配索された電線３に外力が加わったとしても、取付部材に対してプロテクタ１が動くことを確実に防止することができる。
【００５３】
このようなプロテクタ１では、コネクタ固定部１３、電線収容部５の側壁１７の一端に設けられているので、コネクタ固定部１３を閉じるような動作を必要とすることがなく、電線３に余長部分を設ける必要がなくなり、電線収容部５の開口から電線３が張り出すことがない。
【００５４】
このため、電線収容部５の開口側をカバーや取付部材などによって閉塞しても、電線３が噛み込むことを防止することができ、組付性を向上することができる。
【００５５】
また、コネクタ固定部１３は、電線収容部５の側壁１７の一端に設けられているので、電線収容部５の開口側が閉塞されていても、電線収容部５の一端側からコネクタ１１に相手コネクタを嵌合させることができ、組付性を低下させることがない。
【００５６】
さらに、固定部１５は、電線収容部５の側壁１７の高さ方向に沿って延設されたリブ１９を有してプロテクタ本体部７に設けられているので、電線収容部５に対する固定部１５の剛性を高くすることができ、取付部材に対してプロテクタ１を取り付けた状態で、プロテクタ１の電線３を保持するための剛性を向上することができる。
【００５７】
従って、このようなプロテクタ１では、取付部材に取り付けた状態での電線３を保持するための剛性を向上することができると共に、組付性を向上することができる。
【００５８】
また、固定部１５は、電線収容部５の両側壁１７，１７の長さ方向の異なる端部側に対称に２箇所設けられているので、取付部材に対するプロテクタ１の固定を安定化させることができる。
【００５９】
さらに、プロテクタ本体部７には、電線収容部５の開口側から反対側に向けて延設された延長部２１が設けられているので、プロテクタ本体部７自体の剛性を向上することができる。加えて、延長部２１を電線３から分岐された他の分岐線２９に接続された他のコネクタ３１の収容部とすることができる。
【００６０】
また、固定部１５のリブ１９は、電線収容部５と延長部２１とに跨って設けられているので、リブ１９の長さを延長させることができ、固定部１５の剛性をさらに高くすることができる。
【００６１】
さらに、延長部２１には、補強リブ２３が設けられているので、プロテクタ本体部７の剛性をさらに高くすることができ、取付部材に取り付けた状態での電線３を保持するための剛性をさらに向上することができる。
【００６２】
なお、本実施の形態に係るプロテクタでは、固定部のリブを一対設けているが、これに限らず、固定部が十分な剛性を得るものであれば、リブの本数や形状はどのようなものであってもよい。
【００６３】
また、固定部は、電線収容部の両側壁の長さ方向の両端側に異なるように対称に２箇所設けられているが、これに限らず、例えば、固定部を電線収容部の両側壁の長さ方向の両端側に異なるように対称に４箇所設けるなど、プロテクタのバランスを保持できるように固定部を２箇所以上設けてもよい。
【００６４】
さらに、補強リブは、延長部の内部に設けられているが、これに限らず、補強リブを延長部の外部に設けてもよい。加えて、補強リブの数も２つに限らず、２つ以上、或いは１つ設けるなど、延長部を補強できるものであれば、補強リブの数や形状はどのようなものであってもよい。
【００６５】
また、コネクタは、コネクタ固定部に対してクリップ部材と穴部との係合によって固定されているが、これに限らず、例えば、ボルトやナットによる固定手段、ロックアームとロック突起による固定手段など、コネクタをコネクタ固定部に固定できる固定手段であれば、どのような固定手段であってもよい。
【符号の説明】
【００６６】
１…プロテクタ
３…電線
５…電線収容部
７…プロテクタ本体部
９…分岐線
１１…コネクタ
１３…コネクタ固定部
１５…固定部
１７…側壁
１９…リブ
２１…延長部
２３…補強リブ
【図１】
0006376946.tif 000002
【図２】
0006376946.tif 000003
【図３】
0006376946.tif 000004
【図４】
0006376946.tif 000005
【図５】
0006376946.tif 000006